(57)【要約】【課題】車両の無線データ収集システムに関し、車両とセンターとの無線通信を安価なコストで可能とする。【解決手段】無線データ通信が可能な車両特定小電力無線手段１０と車両内の情報を保存する車両データベース手段１１と車両特定小電力無電部１０や車両データベース手段１１を制御する車両端末部９を備えた車両と、車両特定小電力無線手段１０とデータ通信を行う宅内特定小電力無線手段４と、車両特定小電力無線手段１０と宅内特定小電力無線手段４が通信可能かどうかを検知する車両検知手段５と、宅内の情報を保存する宅内データベース手段３と、宅内特定小電力無線手段４と車両検知手段５と宅内データベース手段３を管理し住宅に接続された公衆ネットワーク回線６とデータ通信を行う宅内装置２から構成することにより、車両とセンター間の通信コストを低減することができる。【選択図】  図１
2005010987.tif 000002
【特許請求の範囲】
【請求項１】
無線データ通信が可能な車両特定小電力無線手段と車両内の情報を保存する車両データベース手段と前記車両特定小電力無線手段や車両データベース手段を制御する車両端末部を備えた車両と、前記車両特定小電力無線手段とデータ通信を行う宅内特定小電力無線手段と、前記車両特定小電力無線手段と前記宅内特定小電力無線手段が通信可能かどうかを検知する車両検知手段と、宅内の情報を保存する宅内データベース手段と、前記宅内特定小電力無線手段と前記車両検知手段と前記宅内データベース手段を管理し住宅に接続された公衆ネットワーク回線とデータ通信を行う宅内装置から構成される車両無線データ収集システム。
【請求項２】
車両特定小電力無線手段と宅内特定小電力無線手段が通信可能かどうかを検知する車両検知手段の内容を表示する車両表示手段を備えた請求項１記載の車両無線データ収集システム。
【請求項３】
車両検知手段が車両を検出することにより、車両データを要求する車両データ自動要求手段を備えた請求項１記載の車両無線データ収集システム。
【請求項４】
車両特定小電力手段が宅内特定小電力無線手段と通信可能なことを検出することにより、車両データベース手段の内容を宅内小電力無線手段に通報する車両情報通報手段を備えた請求項１〜３のいずれか１項に記載の車両無線データ収集システム。
【請求項５】
車両データベース手段の情報を要求する車両データ要求手段と、車両のエンジンを遠隔で始動させるエンジン始動手段を備え、車両データ要求手段動作時にエンジン始動手段を動作させるよう構成された請求項１〜４のいずれか１項に記載の車両無線データ収集システム。
【請求項６】
車両検出手段が車両を検出することにより、宅内データベース手段の情報を車両データベースに転送する宅内情報転送手段を備えた請求項１〜５のいずれか１項に記載の車両無線データ収集システム。
【請求項７】
車両検出手段が車両を検出することにより、センターからの情報を車両データベース手段にダウンロードする宅内ダウンロード手段を備えた請求項１〜６のいずれか１項に記載の車両無線データ収集システム。
【請求項８】
宅内ダウンロード手段は地図データを車両にダウンロードするように構成された請求項７記載の車両無線データ収集システム。
【請求項９】
宅内ダウンロード手段はオーディオ・ビデオデータを車両にダウンロードするように構成された請求項７記載の車両データ収集システム。
【請求項１０】
車両に設けられたセキュリティ発呼手段と、前記セキュリティ発呼手段からの情報を表示する宅内に設けられたセキュリティ表示手段を備えた請求項１〜９のいずれか１項に記載の車両無線データ収集システム。
【請求項１１】
車両に設けられたセキュリティ発呼手段と、前記セキュリティ発呼手段からの情報を警報音で報知する宅内に設けられたセキュリティ警報手段を備えた請求項１〜９のいずれか１項に記載の車両無線データ収集システム。
【請求項１２】
車両に設けられたセキュリティ発呼手段と、前記セキュリティ発呼手段からの情報をセンターに通報する宅内に設けられたセキュリティ通報手段を備えた請求項１〜９のいずれか１項に記載の車両無線データ収集システム。
【発明の詳細な説明】
【０００１】
【発明の属する技術分野】
本発明は、車両内と住宅内のデータ通信を特定小電力無線で行う車両無線データ収集装置に関するものである。
【０００２】
【従来の技術】
従来のこの種の車両無線データ収集システムは車両から携帯電話、ＰＨＳを使用してインターネットに接続し必要な情報を通報するように構成したものがある（例えば、特許文献１参照）。
【０００３】
図１３において、無線データ通信が可能な無線通信手段１５と車両に何らかの異常が発生した場合にセンター等に通報するために無線通信手段１５を制御する車両端末部９を備えた車両８と、車両無線通信手段１５とセンター７とを接続する公衆ネットワーク回線６と、公衆ネットワーク回線６に接続され車両８やセンター７と通信可能なデータ送受信手段（図示せず）を備えた宅内装置２から構成されている。
【０００４】
【特許文献１】
特開２００２−２８８７６８号公報
【０００５】
【発明が解決しようとする課題】
しかしながら上記従来の車両通報システムでは、車両から公衆ネットワーク回線に接続するために、車載の無線装置の通信料がかかるため低コスト化が課題であった。
【０００６】
本発明は、前記従来の課題を解決するもので、安価なコストで車両とセンターとの通信を可能とすることを目的とする。
【０００７】
【課題を解決するための手段】
前記従来の課題を解決するために、本発明の車両無線データ収集システムは、車両に特定小電力無線を設けると共に、住宅に車両と無線データ通信可能で且つセンターにインターネットで常時接続されている宅内装置を備えるようにしたものである。
【０００８】
【発明の実施の形態】
請求項１に記載の車両無線データ収集システムは、無線データ通信が可能な車両特定小電力無線手段と車両内の情報を保存する車両データベース手段と前記車両特定小電力無電手段や車両データベース手段を制御する車両端末部を備えた車両と、前記車両特定小電力無線手段とデータ通信を行う宅内特定小電力無線手段と、前記車両特定小電力無線手段と前記宅内特定小電力無線手段が通信可能かどうかを検知する車両検知手段と、宅内の情報を保存する宅内データベース手段と、前記宅内特定小電力無線手段と前記車両検知手段と前記宅内データベース手段を管理し住宅に接続された公衆ネットワーク回線とデータ通信を行う宅内装置を有するもので、車両と宅内との無線通信が可能となる。
【０００９】
請求項２に記載の車両無線データ収集システムは、前記車両特定小電力無線手段と前記宅内特定小電力無線手段が通信可能かどうかを検知する車両検知手段の内容を表示する車両表示手段を有するもので、宅内から車両との通信が可能かどうかを確認することが可能となる。
【００１０】
請求項３に記載の車両無線データ収集システムは、車両検知手段が車両を検出することにより、車両データを要求する車両データ自動要求手段を有するもので、車両が住宅に帰ったときに車両データが宅内装置に保存されるため、車両データを宅内装置で確認することが可能となる。
【００１１】
請求項４に記載の車両無線データ収集システムは、車両特定小電力手段が宅内特定小電力無線手段と通信可能なことを検出することにより、車両データベース手段の内容を宅内小電力無線手段に通報する車両情報通報手段有するもので、車両が住宅に帰ったときに車両から宅内装置に車両データが送信されるため、宅内で車両データを確認することが可能となる。
【００１２】
請求項５に記載の車両無線データ収集システムは、車両データベース手段の情報を要求する車両データ要求手段と、車両のエンジンを遠隔で始動させるエンジン始動手段を備え、車両データ要求手段動作時にエンジン始動手段を動作させるように構成したもので、車両との通信を行う場合に車両のバッテリーに負荷をかけないようにすることが可能となる。
【００１３】
請求項６に記載の車両無線データ収集システムは、車両検出手段が車両を検出することにより、宅内データベース手段の情報を車両データベースに転送する宅内情報転送手段を有するもので、車両が住宅に帰ったときに、住宅から車両へデータを転送することが可能となる。
【００１４】
請求項７に記載の車両無線データ収集システムは、車両検出手段が車両を検出することにより、センターからの情報を車両データベース手段にダウンロードする宅内ダウンロード手段を有するもので、車両が住宅に帰ったときにセンターのデータを車両に転送することが可能となる。
【００１５】
請求項８に記載の車両無線データ収集システムは、宅内ダウンロード手段は地図データを車両にダウンロードするように構成されたもので、車両は最新の地図データに更新することが可能となる。
【００１６】
請求項９に記載の車両無線データ収集システムは、宅内ダウンロード手段はオーディオ・ビデオデータを車両にダウンロードするように構成されるもので、車両は最新のオーディオ、ビデオデータに更新することが可能となる。
【００１７】
請求項１０に記載の車両無線データ収集システムは、車両に設けられたセキュリティ発呼手段と、前記セキュリティ発呼手段からの情報を表示する宅内に設けられたセキュリティ表示手段を有するもので、車両で発生したセキュリティ情報を宅内で監視することが可能となる。
【００１８】
請求項１１に記載の車両無線データ収集システムは、車両に設けられたセキュリティ発呼手段と、前記セキュリティ発呼手段からの情報を警報音で報知する宅内に設けられたセキュリティ警報手段を有するもので、車両で発生したセキュリティ情報を宅内で報知することが可能となる。
【００１９】
請求項１２に記載の車両無線データ収集システムは、車両に設けられたセキュリティ発呼手段と、前記セキュリティ発呼手段からの情報をセンターに通報する宅内に設けられたセキュリティ通報手段を有するもので、車両で発生したセキュリティ情報をセンターへ通報することが可能となる。
【００２０】
【実施例】
以下、本発明の実施例について図面を用いて説明する。
【００２１】
（実施例１）
図１は本発明の実施例１の車両無線データ収集装置を示すブロック図である。８は車両であり特定小電力無線を使用して無線データ通信が可能な車両特定小電力無線手段１０と車両８の運転情報、メンテナンス情報、地図情報や音楽などの情報を保存する車両データベース手段１１と車両特定小電力無電手段１０や車両データベース手段１１を制御する車両端末部９を備えている。また、１は住宅であり、車両特定小電力無線手段１０と特定小電力無線でデータ通信を行う宅内特定小電力無線手段４と、車両特定小電力無線手段１０と宅内特定小電力無線手段４が通信可能かどうかを検知し車両８が住宅１との通信範囲にあるかどうかを検出する車両検知手段５と、宅内での車両情報、音楽やビデオ情報を保存する宅内データベース手段３と、宅内特定小電力無線手段４、車両検知手段５と宅内データベース手段３を管理し住宅に接続されたインターネットなどの公衆ネットワーク回線６とデータ通信を行う宅内装置２から構成されている。また、前記車両データベース手段１１は複数のデータベース機器で構成されることもある。また、宅内データベース手段３、宅内特定小電力無線手段４、車両検出手段５は宅内装置２と一体で構成することも可能である。更に、宅内装置には各種データを表示する表示装置やキーボードなどの操作手段を備えている。また、車両検出手段５は宅内特定小電力無線手段４から定期的に車両８に対してキャリアを送信し、その応答の有無により車両が通信範囲にあるかどうかを判断している。上記構成により、車両検知手段５が車両８とのデータ通信が可能と検知した時に車両８と住宅１とのデータ通信が可能となる。
【００２２】
以上のように車両検出手段５を設け特定小電力無線を使用することにより、車両と住宅間において、通信可能なときにのみコストを掛けずに通信することが可能となる。
【００２３】
（実施例２）
図２は本発明の実施例２の車両無線データ収集装置を示すブロック図である。１２は車両表示手段であり車両検出手段５により住宅１と車両８が通信可能範囲にあるかどうかを表示する。また、車両表示手段１２は宅内装置２と一体に構成することも可能である。
【００２４】
以上のように住宅１で車両の有無が確認できるとともに、車両がある時にのみ宅内装置２の操作を行いデータ通信を行うことが可能となる。
【００２５】
（実施例３）
図３は本発明の実施例３の車両無線データ収集装置を示すブロック図である。宅内装置２に車両検知手段５が車両を検出することにより、車両特定小電力無線手段に車両データを要求する車両データ自動要求手段２ａを備えている。
【００２６】
以上のように、車両が住宅に帰ったときに宅内装置２が自動的に必要な車両データを読み取ることが可能になる。
【００２７】
（実施例４）
図４は本発明の実施例４の車両無線データ収集装置を示すブロック図である。車両８に車両特定小電力手段１０が宅内特定小電力無線手段４と通信可能なことを検出することにより、車両データベース手段１１の内容を宅内小電力無線手段１０に通報する車両情報通報手段９ａを備えている。
【００２８】
以上のことから、車両８が住宅に帰ったときに車両８が自動的に必要な車両データを宅内装置２へ転送することが可能となる。
【００２９】
（実施例５）
図５は本発明の実施例５の車両無線データ収集装置を示すブロック図である。宅内装置２に車両データベース手段１１の情報を要求する車両データ要求手段２ｂと、車両８に車両のエンジンを遠隔で始動させるエンジン始動手段１３を備えている。
【００３０】
以上のことから、車両データ要求手段動作時にエンジン始動手段１３を動作しエンジンを始動させることにより、バッテリーを消耗させることなく車両８と宅内装置２との通信が可能となる。
【００３１】
（実施例６）
図６は本発明の実施例６の車両無線データ収集装置を示すブロック図である。宅内装置２に、車両検出手段５が車両を検出することにより宅内データベース手段３の情報を車両データベース１１に転送する宅内情報転送手段２ｃを備えている。
【００３２】
以上のことから、車両８が住宅に帰ったときに宅内装置２から車両８へ自動的に必要な宅内データを転送することが可能となる。
【００３３】
（実施例７）
図７は本発明の実施例７の車両無線データ収集装置を示すブロック図である。宅内装置２に、車両検出手段５が車両８を検出することにより、センター７からの情報を車両データベース手段１１にダウンロードする宅内ダウンロード手段２ｄを備えている。
【００３４】
以上のことから、車両８が住宅に帰ったときにセンター７の情報を宅内装置２を介して車両８に転送することが可能となる。
【００３５】
（実施例８）
図８は本発明の実施例８の車両無線データ収集装置を示すブロック図である。宅内装置２に宅内ダウンロード手段２ｄを設け、センター７または宅内データベース手段３から地図データ７ａを車両８にダウンロードするように構成されている。
【００３６】
以上のことから、車両８が住宅に帰ったときに車両８の地図データを自動的に更新することが可能となる。
【００３７】
（実施例９）
図９は本発明の実施例９の車両無線データ収集装置を示すブロック図である。宅内装置２に宅内ダウンロード手段２ｄを設け、センター７または宅内データベース手段３からオーディオデータやビデオデータ７ｂを車両８にダウンロードするように構成されている。
【００３８】
以上のことから、車両８が住宅に帰ったときに車両８に備えているオーディオデータやビデオデータを自動的に更新することが可能となる。
【００３９】
（実施例１０）
図１０は本発明の実施例１０の車両無線データ収集装置を示すブロック図である。車両８に盗難防止などのために設けられたセキュリティ発呼手段１４を儲け、宅内装置２にセキュリティ発呼手段１４からの情報を表示するセキュリティ表示手段２ｅを備えている。
【００４０】
以上のことから、車両８で発生したセキュリティ異常を宅内で表示することが可能となる。
【００４１】
（実施例１１）
図１１は本発明の実施例１１の車両無線データ収集装置を示すブロック図である。車両８に盗難防止などのために設けられたセキュリティ発呼手段１４と、宅内装置２にセキュリティ発呼手段１４からの情報を警報音で報知するセキュリティ警報手段２ｆを備えている。
【００４２】
以上のことから、車両８で発生したセキュリティ異常を宅内に警報音で放置することが可能となる。
【００４３】
（実施例１２）
図１２は本発明の実施例１２の車両無線データ収集装置を示すブロック図である。車両８に盗難防止などのために設けられたセキュリティ発呼手段１４と、宅内装置２にセキュリティ発呼手段１４からの情報をセンター７に通報するセキュリティ通報手段２ｇを備えている。
【００４４】
以上のことから、車両８で発生したセキュリティ異常をセンター７に通報することが可能となる。
【００４５】
【発明の効果】
以上のように本発明によれば、車両と住宅間において通信可能なときにのみコストを掛けずに通信することが可能となる。
【図面の簡単な説明】
【図１】本発明の実施例１における車両無線データ収集システムのブロック図
【図２】本発明の実施例２における車両無線データ収集システムのブロック図
【図３】本発明の実施例３における車両無線データ収集システムのブロック図
【図４】本発明の実施例４における車両無線データ収集システムのブロック図
【図５】本発明の実施例５における車両無線データ収集システムのブロック図
【図６】本発明の実施例６における車両無線データ収集システムのブロック図
【図７】本発明の実施例７における車両無線データ収集システムのブロック図
【図８】本発明の実施例８における車両無線データ収集システムのブロック図
【図９】本発明の実施例９における車両無線データ収集システムのブロック図
【図１０】本発明の実施例１０における車両無線データ収集システムのブロック図
【図１１】本発明の実施例１１における車両無線データ収集システムのブロック図
【図１２】本発明の実施例１２における車両無線データ収集システムのブロック図
【図１３】従来の無線データ収集システムのブロック図
【符号の説明】
１  住宅（宅）
２  宅内装置
２ａ  車両データ自動要求手段
２ｂ  車両データ要求手段
２ｃ  宅内情報転送手段
２ｄ  宅内ダウンロード手段
２ｅ  セキュリティ表示手段
２ｆ  セキュリティ警報手段
２ｇ  セキュリティ通報手段
３  宅内データベース手段
４  宅内特定小電力無線手段
５  車両検知手段
６  公衆ネットワーク回線
７  センター
８  車両
９  車両端末部
９ａ  車両情報通報手段
１０  車両特定小電力無線手段
１１  車両データベース手段
１２  車両表示手段
１３  エンジン始動手段
１４  セキュリティ発呼手段
【図１】
2005010987.tif 000003
【図２】
2005010987.tif 000004
【図３】
2005010987.tif 000005
【図４】
2005010987.tif 000006
【図５】
2005010987.tif 000007
【図６】
2005010987.tif 000008
【図７】
2005010987.tif 000009
【図８】
2005010987.tif 000010
【図９】
2005010987.tif 000011
【図１０】
2005010987.tif 000012
【図１１】
2005010987.tif 000013
【図１２】
2005010987.tif 000014
【図１３】
2005010987.tif 000015